(57)【要約】【課題】接点を介さずにフイルムカートリッジ内の写真フイルム上のＩＣチップにデジタル画像を記録することができ、また、写真フイルムにアナログ画像を記録（露光）することができるカメラを提供する。【解決手段】非接触ＩＣカード用のＩＣチップが写真フイルムの長手方向に沿ってフイルム内に複数埋設されたフイルムカートリッジを使用するカメラ１００である。このカメラ１００は、被写体像を光学ユニット１０２、ハーフミラー１０４を介してＣＣＤ１０６の受光面に結像させるとともに、光学ユニット１０２、ハーフミラー１０４及びメカシャッタ１０８を介して写真フイルム２０に結像させることができる。ＣＣＤ１０６を介して取得したデジタル画像は、リーダ／ライタ１３２のアンテナより送信する。写真フイルム２０上のＩＣチップは、電力供給及びデータの読み書き用のアンテナを介して前記デジタル画像を受信してＩＣチップ内のＥＥＰＲＯＭに書き込む。【選択図】      図６
2005134771.tif 000002
【特許請求の範囲】
【請求項１】
長尺のフイルムと、回転自在なスプールを有し、該スプールに前記フイルムを巻回して収納するカートリッジ本体とからなるフイルムカートリッジであって、非接触ＩＣカード用のＩＣチップが前記フイルムの長手方向に沿ってフイルム内に複数埋設され、各ＩＣチップへの電力供給及びデータの読み書き用のアンテナが設けられたフイルムカートリッジを使用するカメラであって、
被写体像を撮像素子の受光面に結像させる第１の光学系と、
前記撮像素子を介して取得した被写体像を示すデジタル画像を前記ＩＣチップに非接触で記録する記録手段と、
を備えたことを特徴とするカメラ。
【請求項２】
前記ＩＣチップから非接触でデジタル画像を読み出し、画像を表示する表示手段又は外部機器に出力するための読出手段を有することを特徴とする請求項１に記載のカメラ。
【請求項３】
前記フイルムは支持体上に感光材料が形成された写真フイルムであり、被写体像を前記写真フイルムに結像させる第２の光学系を有することを特徴とする請求項１又は２に記載のカメラ。
【請求項４】
前記フイルムカートリッジとは異なるフイルムカートリッジに収納された写真フイルムに被写体像を結像させる第２の光学系を有することを特徴とする請求項１又は２に記載のカメラ。
【請求項５】
前記第１の光学系と第２の光学系は、撮影光軸が一致するように一部の光学系が共用されていることを特徴とする請求項３又は４のカメラ。
【請求項６】
前記第１の光学系及び撮像手段を介してデジタル画像を撮影する第１の撮影モードと、前記第２の光学系を介してフイルム画像を撮影する第２の撮影モードと、前記デジタル画像及びフイルム画像を同時に撮影する第３の撮影モードのうちの２以上の撮影モードを有し、これらの撮影モードを切り替える切替手段を備えたことを特徴とする請求項３乃至５のいずれかに記載のカメラ。
【発明の詳細な説明】
【技術分野】
【０００１】
本発明はカメラに係り、特にデジタルデータの記録が可能なフイルムカートリッジを使用するカメラに関する。
【背景技術】
【０００２】
従来、銀塩カメラとデジタルカメラとを兼ね備えたカメラが提案されている（特許文献１）。
【０００３】
このカメラは、銀塩フイルムに被写体像を第１の光学系を介して露光する露光手段と、前記被写体像に対応する画像を第２の光学系を介して固体撮像素子上に結像し、その固体撮像素子から出力される画像信号をカメラ内のメモリ（フラッシュメモリ、バックアップメモリ）に記録する画像信号記録手段とを有している。
【０００４】
一方、カメラでの撮影に使用するフイルムカートリッジにＩＣメモリが実装されたＩＣメモリ付きフイルムカートリッジが提案されている（特許文献２）。
【０００５】
このＩＣメモリ付きフイルムカートリッジは、カートリッジシェルにＩＣメモリユニットを埋設し、ＩＣメモリユニットの複数の接点をカートリッジシェルの表面に露出させるようにしている。
【特許文献１】特開平９−３１１３７８号公報
【特許文献２】特開平１１−３８５５９号公報
【発明の開示】
【発明が解決しようとする課題】
【０００６】
しかしながら、特許文献１に記載のデジタル画像が記録されるメモリは、カメラに内蔵されており、銀塩フイルムとは別体のものである。
【０００７】
一方、特許文献２には、ＩＣメモリ付きフイルムカートリッジのＩＣメモリにカメラで撮影したデジタル画像を直接記録する記載がなく、現像後の写真フイルムをスキャナで読み取り、その読み取った複数の画像からなるインデックス画像等をＩＣメモリに記録する記載がある。
【０００８】
また、特許文献２に記載のＩＣメモリ付きフイルムカートリッジは、カートリッジシェルの表面に露出した複数の接点を介してＩＣメモリにアクセスしなければならず、接点の摩耗、湿気による劣化、汚れによる動作不良が発生したり、複数の接点に確実に読み書き用の端子ピン等を位置決めしなければならず、読み書きが難しいという問題がある。また、複数の接点をカートリッジシェルの表面に露出させる必要があるため、デザインの自由度にも制約がある。
【０００９】
本発明はこのような事情に鑑みてなされたもので、接点を介さずにフイルムカートリッジ内の写真フイルム上のＩＣチップにデジタル画像を記録することができ、また、写真フイルムにアナログ画像を記録（露光）することができるカメラを提供することを目的とする。
【課題を解決するための手段】
【００１０】
前記目的を達成するために請求項１に係る発明は、長尺のフイルムと、回転自在なスプールを有し、該スプールに前記フイルムを巻回して収納するカートリッジ本体とからなるフイルムカートリッジであって、非接触ＩＣカード用のＩＣチップが前記フイルムの長手方向に沿ってフイルム内に複数埋設され、各ＩＣチップへの電力供給及びデータの読み書き用のアンテナが設けられたフイルムカートリッジを使用するカメラであって、被写体像を撮像素子の受光面に結像させる第１の光学系と、前記撮像素子を介して取得した被写体像を示すデジタル画像を前記ＩＣチップに非接触で記録する記録手段と、を備えたことを特徴としている。
【００１１】
フイルムカートリッジに収納されるフイルムは、長尺で面積も大きいため、非接触ＩＣカード用のＩＣチップを多く埋め込むことができ、メモリ容量の大容量化が可能である。このフイルム上の各ＩＣチップへの電力供給及びデータの読み書き用のアンテナを設けてデータの読み書きを非接触式にしたため、前記記録手段は、接点を介さずにフイルム上のＩＣチップに対してデジタル画像を記録することができる。
【００１２】
請求項２に示すように請求項１に記載のカメラにおいて、前記ＩＣチップから非接触でデジタル画像を読み出し、画像を表示する表示手段又は外部機器に出力するための読出手段を有することを特徴としている。即ち、フイルム上のＩＣチップに記録したデジタル画像の読み出しも非接触で行うことができるようにしている。
【００１３】
請求項３に示すように請求項１又は２に記載のカメラにおいて、前記フイルムは支持体上に感光材料が形成された写真フイルムであり、被写体像を前記写真フイルムに結像させる第２の光学系を有することを特徴としている。
【００１４】
このカメラは、デジタル画像を非接触で写真フイルム上のＩＣチップに記録することができるとともに、同じ画像を写真フイルム上に露光させることができる。
【００１５】
請求項４に示すように請求項１又は２に記載のカメラにおいて、前記フイルムカートリッジとは異なるフイルムカートリッジに収納された写真フイルムに被写体像を結像させる第２の光学系を有することを特徴としている。
【００１６】
即ち、このカメラは、一般のフイルムカートリッジも使用することができ、この場合には銀塩カメラとしてのみ機能する。
【００１７】
請求項５に示すように請求項３又は４に記載のカメラにおいて、前記第１の光学系と第２の光学系は、撮影光軸が一致するように一部の光学系が共用されていることを特徴としている。この場合には、デジタル画像とフイルム画像との間にパララックスが発生せず、同じ画像を記録することができる。
【００１８】
請求項６に示すように請求項３乃至５のいずれかに記載のカメラにおいて、前記第１の光学系及び撮像手段を介してデジタル画像を撮影する第１の撮影モードと、前記第２の光学系を介してフイルム画像を撮影する第２の撮影モードと、前記デジタル画像及びフイルム画像を同時に撮影する第３の撮影モードのうちの２以上の撮影モードを有し、これらの撮影モードを切り替える切替手段を備えたことを特徴としている。
【００１９】
上記撮影モードの切替えは、手動操作によって行ってもよいし、例えば、フイルムカートリッジの種別（デジタル画像とフイルム画像の両方を記録することが可能なフイルムカートリッジか否か等）を判定してカメラ自身で自動的に撮影モードを切り替えるようにしてもよい。
【発明の効果】
【００２０】
上記構成の本発明によれば、非接触ＩＣカード用のＩＣチップが複数埋め込まれた長尺のフイルムを収納するフイルムカートリッジを使用するようにしたため、そのフイルムに埋め込まれたＩＣチップにデジタル画像を非接触で記録することができる。また、支持体上に感光材料が形成された写真フイルムに対しては被写体像を露光させることもできる。
【発明を実施するための最良の形態】
【００２１】
以下添付図面に従って本発明に係るカメラの好ましい実施の形態について詳説する。
【００２２】
まず、本発明に係るカメラに使用されるフイルムカートリッジについて説明する。
【００２３】
図１に示すようにフイルムカートリッジ１０は、遮光構造を有する略円筒形のカートリッジシェル１２と、このカートリッジシェル１２内に回転自在に配設された１軸のスプール１４とからなるカートリッジ本体１６と、一端がスプール１４に固定され、該スプールをカートリッジシェル１２内で回転させることにより、その全長をスプール１４の回りに巻き付けられてカートリッジ本体１６内に収納され、又はカートリッジ本体１６から引き出される長尺の写真フイルム２０とから構成されている。
【００２４】
写真フイルム２０は、被写体像が露光される複数の露光領域２２を有し、各露光領域２２の前後の位置には、各露光領域２２をカメラで位置決め等に使用するためのパーフォレーション２４が穿設されている。
【００２５】
また、各露光領域２２の前後のパーフォレーション２４の間の非露光領域には、非接触ＩＣカード用のＩＣチップ３０と、このＩＣチップ３０への電力供給及びデータの読み書き用のアンテナ（アンテナコイル）４０とが埋設されている。
【００２６】
写真フイルム２０にＩＣチップ３０を埋設する方法としては、写真フイルムの支持体（例えば、ポリエチレンテレフタレート（ＰＥＴ））の厚みと、薄型化されたＩＣチップの厚みは同程度であるため、支持体にＩＣチップ３０の大きさ（例えば、１ｍｍ角）に対応する孔を空け、ここにＩＣチップ３０を埋め込んで接着固定する方法が考えられる。尚、支持体上にＩＣチップ３０を実装し、これを保護膜等でサンドイッチするようにしてもよいが、この場合にはＩＣチップ３０を埋設した部分が他の部分に比べて厚くなる。また、アンテナ４０は、支持体上にエッチング等によって形成することができる。
【００２７】
写真フイルム２０は、上記のようにしてＩＣチップ３０及びアンテナ４０が設けられた支持体上に、赤感乳剤層、緑感乳剤層、青感乳剤層及び保護層を形成して構成されている。
【００２８】
また、写真フイルム２０の先端のリーダー部分には、無線タグ５０が設けられている。この無線タグ５０の構造は、上記ＩＣチップ３０及びアンテナ４０と同様のため、同じＩＣチップ３０及びアンテナ４０を設けるようにしてもよい。ただし、無線タグ５０には、予めフイルムＩＤ、撮影可能なコマ数、ＩＳＯ感度、フイルム種（ネガ／ポジ、カラー／モノクロ）等の各種のフイルム情報が記録され、また、写真フイルム２０に実装されている各ＩＣチップ３０のシリアル番号、製造メーカ情報、メモリ容量等のＩＣチップ情報が記録されている。そして、無線タグ５０に記録された情報は、後述するように必要に応じて適宜読み出される。
【００２９】
図２はＩＣチップ３０の構造例を示すブロック図である。
【００３０】
同図に示すように、ＩＣチップ３０は、ＣＰＵ（中央処理装置）３１、ＲＯＭ（読出し専用メモリ）３２、ＲＡＭ（随時書込み読出しメモリ）３３、ＥＥＰＲＯＭ（電気消去可能プログラマブル読出し専用メモリ）３４、電源回路３５、インターフェース３６、及びコプロセッサ３７から構成されており、電力供給及びデータの読み書き用のアンテナ４０と接続されている。
【００３１】
ＣＰＵ３１は、各部を統括制御する処理部であり、ＲＯＭ３２はＣＰＵ３１の動作に必要な制御プログラムを格納し、ＲＡＭ３３は一時的なデータの読み書きが行われ、プログラム実行時の作業領域として機能する。ＥＥＰＲＯＭ３４は、主にデータを格納するために使用される不揮発性メモリであり、電気的な操作によりバイト単位でデータの書き換えや消去ができる。尚、ＥＥＰＲＯＭ３４の代わりにフラッシュメモリを使用してもよい。
【００３２】
電源回路３５はアンテナ４０からの誘導起電力を平滑化して電力を発生し、各部の回路に供給する。インターフェース３６は、外部との通信制御を実施してデータの交換を行う。コプロセッサ３７は主に暗号演算処理を行うもので、ＣＰＵ３１を補助する。尚、コプロセッサ付きのＣＰＵを使用してもよい。
【００３３】
上記構成のＩＣチップ３０は、アンテナ４０をリーダ／ライタのアンテナに近づけることにより、該リーダ／ライタとの間で非接触でデータの読み書きを行うことができる。尚、通信距離としては、交信距離が３ｍｍ以下の密着型や、短波を使い、交信距離が１０ｃｍ以下の近接型などがある。
【００３４】
図３は写真フイルムに埋設されるアンテナの他の実施の形態を示す図である。
【００３５】
同図に示すように写真フイルム２１には、各コマの露光領域２２を囲むようにアンテナ４２が埋設されている。尚、このアンテナ４２には、１つのＩＣチップ３０が接続されているが、メモリ容量を増やすために複数のＩＣチップを接続するようにしてもよい。
【００３６】
図４はアンテナの設置例の更に他の実施の形態を示す図である。
【００３７】
この実施の形態では、カートリッジシェル内に回転自在に配設されるスプール１５のフランジ部１５Ａにアンテナ４４を設けるようにしている。一方、写真フイルム２３には、前記アンテナ４４と電気的に接続される配線４６がフイルムエッジ部に沿って設けられ、更にこの配線４６と接続されるＩＣチップ３０が各コマの露光領域２２の間（コマ間）に埋設されている。
【００３８】
尚、写真フイルム２３の一端はスプール１５に固定されるため、この固定される部分でアンテナ４４と配線４６とが接続されている。
【００３９】
次に、上記構成のフイルムカートリッジ１０を使用する本発明に係るカメラについて説明する。
【００４０】
図５はＩＣチップが埋設されたフイルムの他の実施の形態を示す図である。
【００４１】
この実施の形態のフイルム２５の支持体には、感光材料が塗布されておらず、フイルムの全面にＩＣチップ３０が埋め込まれている。また、各ＩＣチップ３０に共通のアンテナ４４は、図４に示したものと同様にスプール１５のフランジ部１５Ａに設けられ、このアンテナ４４から配線４７を介して各ＩＣチップ３０への電源供給及びデータの読み書きを行うことができるように構成されている。
【００４２】
尚、フイルム２５に埋設するＩＣチップ３０は、同種のものに限らず、複数の種類のものを混在させてもよい。
【００４３】
次に、上記構成のフイルムカートリッジ１０を使用するカメラについて説明する。
【００４４】
図６はフイルムカートリッジ１０を使用するカメラの内部構成の実施の形態を示すブロック図である。
【００４５】
同図に示すように、このカメラ１００は、前記フイルムカートリッジ１０を用いて光学像を写真フイルム２０上に露光記録する、いわゆる銀塩カメラとしての機能と、撮像素子（ＣＣＤ）を用いて光学像をデジタル画像に変換してこれを写真フイルム２０に埋設されたＩＣチップ３０（ＥＥＰＲＯＭ３４）に記録するデジタルカメラとしての機能とが複合的に結合されたカメラである。
【００４６】
このカメラ１００の撮影光学系は、撮影レンズ、絞り等を備えた光学ユニット１０２と、ハーフミラー１０４とを有し、ハーフミラー１０４によって反射された光学像はＣＣＤ１０６の受光面上に結像され、ハーフミラー１０４を透過した光学像はメカシャッタ１０８を介して写真フイルム２０の露光領域に結像される。尚、光学ユニット１０２からＣＣＤ１０６の受光面までの光路長と、光学ユニット１０２から写真フイルム２０の受光面までの光路長は一致するように配置され、光学ユニット１０２をフォーカス制御することにより、ＣＣＤ１０６及び写真フイルム２０の両受光面に光学像を結像できるようになっている。
【００４７】
操作スイッチ１１０は、シャッターボタン、電源スイッチ、撮影／再生モード選択スイッチ、メニュー／ＯＫスイッチ、及びマルチファンクションの十字キー等を含んでいる。
【００４８】
メインＣＰＵ１１２は、操作スイッチ１１０からの入力に基づいてカメラ１００内の各回路を統括制御する。また、メインＣＰＵ１１２は、ＳＤＲＡＭ（シンクロナス・ダイナミックＲＡＭ）１１４、ＲＯＭ１１６、ＥＥＰＲＯＭ１１８との間で必要なデータの授受を行う。尚、ＲＯＭ１１６には、カメラ制御プログラム等が記録され、ＥＥＰＲＯＭ１１８には、ＣＣＤ１０６の欠陥情報等のカメラ制御に関する各種のパラメータ、データが格納されている。
【００４９】
まず、操作スイッチ１１０内の電源スイッチが操作されると、ＣＰＵ１１２はこれを検出し、カメラ内電源をＯＮにする。また、撮影／再生モード選択スイッチによって撮影モードが選択されると、撮影スタンバイ状態にする。
【００５０】
上記撮影スタンバイ状態時にシャッターボタンが押されると、ＣＰＵ１１２はこれを検知し、カメラＣＰＵ１２０にコマンドを送る。カメラＣＰＵ１２０は、フォーカス制御、測光、絞り制御を行い、光学ユニット１０２を介して被写体の画像光をＣＣＤ１０６の受光面上に結像させる。
【００５１】
ＣＣＤ１０６は、受光面に結像された画像光をその光量に応じた量の信号電荷に変換する。このようにして蓄積された信号電荷は、クロック発生回路１２２から加えられるリードゲートパルスによってシフトレジスタに読み出され、レジスタ転送パルスによって信号電荷に応じた電圧信号として順次読み出される。尚、このＣＣＤ１０６は、蓄積した信号電荷をシャッタゲートパルスによって掃き出すことができ、これにより電荷の蓄積時間（シャッタスピード）を制御する、いわゆる電子シャッタ機能を有している。
【００５２】
また、シャッターボタンが押されると、前記フォーカス制御、絞り制御が行われたのち、カメラＣＰＵ１２０はメカシャッタ１０８を制御し、所要のシャッタースピードで写真フイルム２０への露出制御も行う。
【００５３】
次に、デジタル画像をＩＣチップ３０に記録するまでの処理について説明する。
【００５４】
前記ＣＣＤ１０６から出力された電圧信号は、アナログ処理回路１２４によって相関二重サンプリングや増幅等のアナログ処理が施された後、各画素ごとのＲ、Ｇ、Ｂ信号としてＡ／Ｄ変換器１２６に加えられる。Ａ／Ｄ変換器１２６は、アナログ処理回路１２４から順次加えられるＲ、Ｇ、Ｂ信号をそれぞれデジタルのＲ、Ｇ、Ｂ信号に変換する。これらのＲ、Ｇ、Ｂ信号は、一旦ＳＤＲＡＭ１１４に格納される。
【００５５】
尚、ハーフミラー１０４で反射してＣＣＤ１０６に入射する光学像は、上下又は左右が反転するが、前記Ｒ、Ｇ、Ｂ信号のＳＤＲＡＭ１１４への格納順序を上下又は左右逆転させることにより、非反転画像にすることができる。
【００５６】
画像信号処理回路１２８は、上記ＳＤＲＡＭ１１４に格納されたデジタルのＲ、Ｇ、Ｂの生データを読み出し、これらに光源種に応じたデジタルゲインをかけることでホワイトバランス調整を行うとともに、ガンマ（階調特性）処理及びシャープネス処理を行い、更にＲ、Ｇ、Ｂ信号をＹＣ信号処理して輝度信号Ｙとクロマ信号Ｃｒ、Ｃｂ（ＹＣ信号）を生成し、そのＹＣ信号を再びＳＤＲＡＭ１１４に格納する。
【００５７】
上記のようにしてＳＤＲＡＭ１１４に格納されたＹＣ信号は、圧縮・伸長回路１３０によって所定のフォーマットに圧縮されたのち、リーダ／ライタ１３２に送出される。
【００５８】
リーダ／ライタ１３２は、図７に示すようにアンテナ１３２Ａが写真フイルム２０の露光位置における平面度を出すための圧板１３３に埋設されている。尚、圧板１３３は、電磁誘導に支障のない材料（例えば、プラスチック）のものが使用される。
【００５９】
このリーダ／ライタ１３２は、アンテナ１３２Ａを介して予め無線タグ５０（図１参照）からフイルム情報やＩＣチップ情報を読み取り、これらの情報を撮影や記録時に利用できるようにしている。例えば、フイルムのＩＳＯ感度を読み取り、これをメインＣＰＵ１１２又はカメラＣＰＵ１２０に通知することにより、写真フイルム２０への露出制御に利用できるようにしている。
【００６０】
また、カメラ１００は、写真フイルム２０のパーフォレーション２４をカウントすることにより、現在、何コマ目の撮影を行っているかを検出しており、一方、リーダ／ライタ１３２は、予め無線タグ５０からＩＣチップ情報（各コマ毎のＩＣチップ３０のシリアル番号等のチップＩＤ）を読み取っている。このＩＣチップ情報は、現在の撮影コマ番号に応じて、いずれのＩＣチップ３０にデジタル画像を記録すべきかの判断に利用される。
【００６１】
リーダ／ライタ１３２は、デジタル画像を記録すべきＩＣチップ３０が特定されると、そのＩＣチップ３０に非接触でアクセスし、所定のフォーマットに圧縮されたデジタル画像をアンテナ１３２Ａから送信する。このデジタル画像をアンテナ４０を介して受信したＩＣチップ３０は、内部のＥＥＰＲＯＭ３４にデジタル画像を記録する。
【００６２】
尚、カメラ１００によって記録されるデジタル画像のデータ量が、ＩＣチップ３０に記録できるメモリ容量よりも大きい場合には、自動的に画像サイズや圧縮率を変えてＩＣチップ３０に記録できるようになっている。
【００６３】
一方、撮影／再生モード選択スイッチによって再生モードが選択されると、各ＩＣチップ３０に記録されているデジタル画像のうちの最終コマのデジタル画像がリーダ／ライタ１３２を介して読み出される。この読み出されたデジタル画像は、圧縮・伸長回路１３０を介して非圧縮のＹＣ信号に伸長される。
【００６４】
伸長されたＹＣ信号は、ＳＤＲＡＭ１１４を介してビデオエンコーダ１３４に加えられ、ここでＮＴＳＣ方式のカラー複合映像信号に変換され、液晶モニタ１３６に出力される。これにより、液晶モニタ１３６にはＩＣチップ３０に最後に記録されたコマ画像が表示される。
【００６５】
その後、順コマ送りスイッチ（十字キーの右キー）が押されると、順方向にコマ送りされ、逆コマ送りスイッチ（十字キーの左キー）が押されると、逆方向にコマ送りされる。そして、コマ送りされたコマ位置に対応するＩＣチップ３０から画像が読み出され、上記と同様にしてコマ画像が液晶モニタ１３６に再生される。
【００６６】
尚、リーダ／ライタ１３２が、ＩＣチップ３０のアンテナ４０の位置にかかわらず、カメラ内の全てのＩＣチップ３０にアクセスできる場合には、前記再生モード時におけるフイルムの給送制御は不要であるが、露光位置にあるコマに対応するＩＣチップ３０のみにアクセスできる場合には、前記再生モードでのコマ送り時には実際に写真フイルム２０をコマ送りする必要がある。また、リーダ／ライタ１３２によって読み取ったデジタル画像は、図示しないインターフェースを介してパソコン等の外部機器に出力することもできる。
【００６７】
上記実施の形態では、カメラ１００は、銀塩カメラ及びデジタルカメラの両機能を同時に使用する撮影モードでの撮影について説明したが、これに限らず、カメラ１００を銀塩カメラとしてのみ使用する撮影モードでの撮影や、デジタルカメラとしてのみ使用する撮影モードでの撮影もできる。これらの撮影モードは、撮影者が適宜切り替えるようにしてもよいし、カメラ１００が自動的に切り替えるようにしてもよい。
【００６８】
例えば、無線タグから情報が得られない場合、カメラ１００は、ＩＣチップ等が写真フイルムに埋め込まれていない通常のフイルムカートリッジが装填されていると判断する。そして、この場合には、カメラ１００は、銀塩カメラとしてのみ使用する撮影モードに自動的に切り替える。また、無線タグからフイルム支持体上に感光材料が塗布されていないフイルム情報が得られた場合には、デジタルカメラとしてのみ使用する撮影モードに切り替える。
【００６９】
また、この実施の形態では、光学ユニット１０２から写真フイルム２０及びＣＣＤ１０６に光学像を分岐させるためにハーフミラーを使用したが、これに限らず、プリズムを使用してもよく、更に一眼レフのカメラのようにクイックリターンミラーを設け、ＣＣＤ１０６では、クイックリターンミラーをはね上げる直前の光学像を取り込むようにしてもよい。更に、銀塩カメラ及びデジタルカメラとして使用する場合の光学ユニット１０２を共用しているが、それぞれ別系統の光学系を設けるようにしてもよい。
【００７０】
図８は本発明に係るカメラの他の実施の形態を示す外観図である。
【００７１】
このカメラ１５０は、通常のフイルムカートリッジ１６０と、本発明に使用されるフイルムカートリッジ１７０とをそれぞれ装填できるようになっており、通常のフイルムカートリッジ１６０に収納された写真フイルム１６２に被写体像を露光させる銀塩カメラの機能と、フイルムカートリッジ１７０内のフイルムに埋設されたＩＣチップに非接触でデジタル画像を記録するデジタルカメラの機能とを有している。尚、銀塩カメラ及びデジタルカメラとしての内部構成は、図６に示したカメラ１００と同様のため、その詳細な説明は省略する。
【００７２】
フイルムカートリッジ１７０は、図５に示したようにフイルムの全面に多数のＩＣチップが埋め込まれたメモリ専用のもので、例えば、単三又は単四電池程度のサイズの小型カートリッジである。そして、カメラ１５０は、このフイルムカートリッジ１７０をデジタル画像を記録するためのメモリとしてのみ使用する。また、カメラ１５０内のリーダ／ライタ（図示せず）は、フイルムカートリッジ１７０の収納部にアンテナが設けられ、カートリッジ内に収納されたフイルム上の各ＩＣチップに対して電源供給及びデータの読み書きを行うことができるようになっている。尚、フイルムカートリッジ１７０内に各ＩＣチップへのデータの読み書き等を制御するコントローラを設けるようにしてもよい。
【００７３】
次に、図６に示したカメラ１００によって撮影記録されたフイルムカートリッジ１０を取次店に持っていき、プリント注文する場合について説明する。
【００７４】
図９は取次店に設置されるプリント受付装置の一例を示す図であり、このプリント受付装置は、リーダ２００と、パーソナルコンピュータ等からなるプリント受付機２１０とから構成されている。
【００７５】
リーダ２００は、アンテナ２０２を有し、リーダ２００の上面に載置されたフイルムカートリッジ１０から非接触でデータを読み取り、これをＵＳＢケーブル等の通信ケーブル２０４で接続されたプリント受付機２１０に送信できるようになっている。
【００７６】
リーダ２００は、フイルムカートリッジ１０を特定するために、フイルムカートリッジ１０に付加された無線タグ５０（図１参照）からフイルムＩＤを読み取ることができる。また、カメラ１００等で前記無線タグ５０にユーザ情報（ユーザ名、住所、電話番号等）やプリント枚数等のプリント注文情報が記録されていれば、ユーザ情報やプリント注文情報も同時に読み取ることができる。
【００７７】
プリント受付機２１０は、リーダ２００から入力したフイルムＩＤと、リーダ２００から、又はキーボード等により入力されたユーザ情報、プリント注文情報とを関連づけてプリント注文を受け付けることができ、預かり伝票等の発行もできる。
【００７８】
これにより店頭での受付処理を迅速に行うことができる。尚、最初にフイルムカートリッジ１０でのプリント注文を受け付けた場合、取次店又は現像所側でユーザ情報を無線タグ５０に書き込むようにしてもよい。この場合には、２回目以降のプリント注文（焼増し注文）時には、ユーザ情報を読み取ることができる。
【００７９】
また、リーダ２００によってフイルムカートリッジ１０内の各ＩＣチップ３０からデジタル画像を読み取り、これをプリント受付機２１０に送信することにより、プリント受付機２１０のモニタに画像を表示させることもできる。これによれば、フイルムカートリッジ１０内の写真フイルム２０を現像する前に、モニタに表示された画像を見ながらプリント注文するコマを選択することができる。
【００８０】
また、非接触ＩＣカードの技術に適用されているＥＤＹ（プリペイド式の電子マネー）を、このフイルムカートリッジ１０に使用することにより、キャッシュレスでプリント代を徴収することができる。
【００８１】
更に、フイルムＩＤ、撮影カメラＩＤ、撮影者ＩＤ、暗証番号をＩＣチップに登録すれば、証明書として認証発行が可能となり、ＰＫＩ（公開鍵基盤）方式の暗号技術を用いることで、暗号化、デジタル署名、認証といった様々なセキュリティ対策を実現することができる。
【００８２】
尚、写真フイルム２０は、図１に示すように各コマの露光領域２２の前後にパーフォレーション２４が穿設されているが、これに限らず、図１０に示すようにフイルムエッジに連続的にパーフォレーションが形成された写真フイルムを使用するカメラにも適用できる。また、フイルムカートリッジは、図１に示すようにスプールが１軸のものに限らず、図１１に示すようにスプールが２軸のフイルムカートリッジを使用するカメラにも適用できる。更に、ＩＣチップは、データを暗号化して書き込むためのコプロセッサがないものでもよく、画像データは大きいため、メモリ容量の大きなものが好ましい。また、無線タグを写真フイルムの先端のリーダー部分に設けるようにしたが、これに限らず、カートリッジ本体に設けるようにしてもよい。
【図面の簡単な説明】
【００８３】
【図１】本発明に係るカメラに適用されるフイルムカートリッジの実施の形態を示す図
【図２】ＩＣチップの構造例を示すブロック図
【図３】写真フイルムに埋設されるアンテナの他の実施の形態を示す図
【図４】アンテナの設置例の更に他の実施の形態を示す図
【図５】ＩＣチップが埋設されたフイルムの他の実施の形態を示す図
【図６】本発明に係るカメラの内部構成の実施の形態を示すブロック図
【図７】カメラ内のリーダ／ライタのアンテナの設置例を示す図
【図８】本発明に係るカメラの他の実施の形態を示す外観図
【図９】取次店に設置されるプリント受付装置の一例を示す図
【図１０】本発明が適用される写真フイルムの他のパーフォレーションの形態を示す図
【図１１】本発明が適用されるフイルムカートリッジの他の形態を示す図
【符号の説明】
【００８４】
１０、１７０…フイルムカートリッジ、１４、１５…スプール、１６…カートリッジ本体、２０、２１、２３…写真フイルム、２２…露光領域、２４…パーフォレーション、２５…フイルム、３０…ＩＣチップ、４０、４２、４４、２０２…アンテナ、４６、４７…配線、１００、１５０…カメラ、１０２…光学ユニット、１０４…ハーフミラー、１０６…撮像素子（ＣＣＤ）、１０８…メカシャッタ、１１０…操作スイッチ、１１２…メインＣＰＵ、１２０…カメラＣＰＵ、１２８…画像信号処理回路、１３０…圧縮・伸長回路、１３２…リーダ／ライタ、１３２Ａ…アンテナ、１３４…エンコーダ、１３６…液晶モニタ
【図１】
2005134771.tif 000003
【図２】
2005134771.tif 000004
【図３】
2005134771.tif 000005
【図４】
2005134771.tif 000006
【図５】
2005134771.tif 000007
【図６】
2005134771.tif 000008
【図７】
2005134771.tif 000009
【図８】
2005134771.tif 000010
【図９】
2005134771.tif 000011
【図１０】
2005134771.tif 000012
【図１１】
2005134771.tif 000013